(57)【特許請求の範囲】
【請求項１】
車両の車室の空気に含まれるアルデヒドの濃度を低減する車室空気のアルデヒド低減装置であって、
前記車室の空気中のアルデヒド濃度を検出するアルデヒド濃度検出手段と、
前記車室を加湿することによって、前記車室で気化したアルデヒドを捕捉する空気中の水蒸気を増大させる加湿手段と、
前記車室の空気を冷却することによって、アルデヒドを捕捉した水蒸気をアルデヒドを含む凝縮水として前記車室外に排出するアルデヒド排出手段と、
前記アルデヒド濃度検出手段が検出したアルデヒド濃度が所定の第１閾値を超えたか否かを判定し、前記検出されたアルデヒド濃度が前記第１閾値を超えたと判定した場合に、前記加湿手段による加湿と前記アルデヒド排出手段による冷却とを機能させる制御手段と、を備え、
前記制御手段は、前記検出されたアルデヒド濃度が前記第１閾値を超えたと判定して前記加湿手段による加湿を機能させた後に、前記検出されたアルデヒド濃度が前記第１閾値よりも低い値である所定の第２閾値より低下したか否かを判定し、前記検出されたアルデヒド濃度が前記第２閾値よりも低くなるまで前記加湿手段による加湿を継続して機能させる
ことを特徴とする車室空気のアルデヒド低減装置。
【請求項２】
車両の車室の空気に含まれるアルデヒドの濃度を低減する車室空気のアルデヒド低減装置であって、
前記車室の空気中のアルデヒド濃度を検出するアルデヒド濃度検出手段と、
前記車室を加湿することによって、前記車室で気化したアルデヒドを捕捉する空気中の水蒸気を増大させる加湿手段と、
前記車室の空気を冷却することによって、アルデヒドを捕捉した水蒸気をアルデヒドを含む凝縮水として前記車室外に排出するアルデヒド排出手段と、
前記アルデヒド濃度検出手段が検出したアルデヒド濃度が所定の閾値を超えたか否かを判定し、前記検出されたアルデヒド濃度が前記所定の閾値を超えたと判定した場合に、前記加湿手段による加湿と前記アルデヒド排出手段による冷却とを機能させる制御手段と、を備え、
前記加湿手段は、収容空間の一部に水を貯留するタンクと、前記車室と前記タンクとを連通し、前記タンク側の先端が前記タンク内の水中で開口する第１の連通路と、前記車室と前記タンクとを連通し、前記タンク側の先端が前記タンク内の空気中で開口する第２の連通路と、前記第１の連通路、前記タンク、及び前記第２の連通路の順序で前記車室の空気を循環させるポンプと、を有し
前記アルデヒド排出手段は、周囲の空気を冷却するエバポレータと、前記エバポレータの周囲に前記車室の空気を送風する送風ファンと、前記空気の冷却によって生じた凝縮水を前記車室外に排出する排出路と、を有する、
ことを特徴とする車室空気のアルデヒド低減装置。
【発明の詳細な説明】
【技術分野】
【０００１】
本発明は、車両の車室内の空気に含まれるアルデヒドの濃度を低減する車室空気のアルデヒド低減装置に関する。
【背景技術】
【０００２】
特開２０００−２４６０４０号公報には、車両用空調装置に用いる吸着処理用部材が記載されている。この空調装置では、送風機と、送風機の下流側に設けられたエバポレータとの間にフィルタ取付部が形成され、枠状部材で支持されたシート状のフィルタ部材（吸着処理用部材）がフィルタ取付部に取付けられている。フィルタ部材は物理的吸着剤と化学的吸着剤とによって形成され、フィルタ部材を空調用空気が一方向に通過することによって、空気中のアルデヒド等の被吸着成分が吸着処理される。
【先行技術文献】
【特許文献】
【０００３】
【特許文献１】特開２０００−２４６０４０号公報
【発明の概要】
【発明が解決しようとする課題】
【０００４】
一般的なＶＯＣ（揮発性有機化合物）の場合、車室を構成する物体からの揮発による物体のＶＯＣ含有量の減少に応じて車室内のＶＯＣ濃度も同様に低減する。これに対し、アルデヒドは、アルコールの酸化や酢ビニルの加水分解によって生成するともいわれており、長期にわたり車室内でアルデヒドが継続して生成される可能性がある。このため、車室内のアルデヒドを長期間継続して除去する必要がある。
【０００５】
しかし、特許文献１に記載の上記装置では、吸着剤で形成されるフィルタ部材を用いて車室の空気中のアルデヒドを吸着して除去しているため、フィルタ部材に吸着されたアルデヒドの蓄積量が増大するにつれてフィルタ部材の吸着性能が低下する可能性がある。このため、車室内の空気中のアルデヒドを所望の濃度以下に継続して低減するためにはフィルタ部材の交換等のメンテナンス作業が必要となり、装置の維持費用の増大を招くおそれがある。
【０００６】
そこで本発明は、フィルタ等の交換を必要とせずに車室の空気中のアルデヒドの濃度を所望の濃度以下に継続して低減可能な車室内のアルデヒド低減装置の提供を目的とする。
【課題を解決するための手段】
【０００７】
上記目的を達成すべく、本発明の第１の態様は、車両の車室の空気に含まれるアルデヒドの濃度を低減する車室空気のアルデヒド低減装置であって、アルデヒド濃度検出手段と、加湿手段と、アルデヒド排出手段と、制御手段とを備える。アルデヒド濃度検出手段は、車室の空気中のアルデヒド濃度を検出する。加湿手段は、車室を加湿することによって、車室で気化したアルデヒドを捕捉する空気中の水蒸気を増大させる。アルデヒド排出手段は、車室の空気を冷却することによって、アルデヒドを捕捉した水蒸気をアルデヒドを含む凝縮水として車室外に排出する。制御手段は、アルデヒド濃度検出手段が検出したアルデヒド濃度が所定の第１閾値を超えたか否かを判定し、検出されたアルデヒド濃度が第１閾値を超えたと判定した場合に、加湿手段による加湿とアルデヒド排出手段による冷却とを機能させる。制御手段は、検出されたアルデヒド濃度が第１閾値を超えたと判定して加湿手段による加湿を機能させた後に、検出されたアルデヒド濃度が第１閾値よりも低い値である所定の第２閾値より低下したか否かを判定し、検出されたアルデヒド濃度が第２閾値よりも低くなるまで加湿手段による加湿を継続して機能させる。
【０００８】
上記構成では、車室で気化した空気中のアルデヒドの濃度がアルデヒド濃度検出手段によって検出され、アルデヒド濃度が所定の閾値を超えると、制御手段が加湿手段による加湿とアルデヒド排出手段による冷却とを機能させる。加湿手段が機能すると、車室が加湿されて空気中の水蒸気量が増大する。気化したアルデヒドは水に容易に溶解するため、空気中の水蒸気量が増大すると水蒸気に溶解して補足されるアルデヒド量が増大する。また、アルデヒド排出手段が機能すると、車室の空気が冷却され、空気の温度が空気中の水蒸気の露点以下になるとアルデヒドを捕捉した水蒸気が凝縮し、アルデヒドを含む凝縮水として車室外に排出されて車室の空気のアルデヒド濃度が所定の閾値以下に低下する。
【０００９】
このように、車室を加湿して増大した水蒸気によって空気中のアルデヒドを補足し、空気を冷却してアルデヒドを含む凝縮水として車室外に排出するので、車室内で長期にわたり継続して生成されるアルデヒドに対して、アルデヒド濃度を継続して低減することができる。このため、例えばフィルタ等を用いてアルデヒドを吸着させる場合と比べて、フィルタ交換等のメンテナンス作業が不要であり、装置の維持費用が低減できる。
【００１０】
また、車室の空気のアルデヒド濃度を検出して所定の閾値を超えたか否かを判定するので、所定の閾値に所望のアルデヒド濃度を設定しておくことによって車室のアルデヒド濃度を確実に所望の濃度以下に継続して低減することが可能である。また、所定の閾値を超えたときのみに加湿手段の加湿及びアルデヒド排出手段の冷却を機能させるので、装置の過剰なエネルギ消費の抑制が可能である。また、車室を加湿するので、空気が乾燥する冬季においても車室の空気の湿度が保持される快適な車室空間を提供することができる。
【００１１】
本発明の第２の態様は、車両の車室の空気に含まれるアルデヒドの濃度を低減する車室空気のアルデヒド低減装置であって、アルデヒド濃度検出手段と、加湿手段と、アルデヒド排出手段と、制御手段とを備える。アルデヒド濃度検出手段は、車室の空気中のアルデヒド濃度を検出する。加湿手段は、車室を加湿することによって、車室で気化したアルデヒドを捕捉する空気中の水蒸気を増大させる。アルデヒド排出手段は、車室の空気を冷却することによって、アルデヒドを捕捉した水蒸気をアルデヒドを含む凝縮水として車室外に排出する。制御手段は、アルデヒド濃度検出手段が検出したアルデヒド濃度が所定の閾値を超えたか否かを判定し、検出されたアルデヒド濃度が上記所定の閾値を超えたと判定した場合に、加湿手段による加湿とアルデヒド排出手段による冷却とを機能させる。加湿手段は、収容空間の一部に水を貯留するタンクと、車室とタンクとを連通し、タンク側の先端がタンク内の水中で開口する第１の連通路と、車室とタンクとを連通し、タンク側の先端がタンク内の空気中で開口する第２の連通路と、第１の連通路、タンク、及び第２の連通路の順序で車室の空気を循環させるポンプとを有する。アルデヒド排出手段は、周囲の空気を冷却するエバポレータと、エバポレータの周囲に車室の空気を送風する送風ファンと、空気の冷却によって生じた凝縮水を車室外に排出する排出路とを有する。
【００１２】
上記構成では、加湿手段のポンプが作動すると、車室の空気が第１の連通路、タンク、及び第２の連通路の順序で循環する。第１の連通路のタンク側の先端はタンクの水中で開口しているので、空気が水中を気泡となって通過し、空気が水と接触することによって空気中の水蒸気量が増大する。また、第１の連通路のタンク側の先端はタンクの空気中で開口しているので、水蒸気量が増大した空気が車室へ循環して車室が加湿される。また、アルデヒド排出手段の送風ファンが作動すると、送風ファンが車室の空気をエバポレータに送風し、送風された空気がエバポレータによって露点以下に冷却されると水蒸気が凝縮し、凝縮水として排水路から車室外に排出される。
【００１３】
このような加湿手段とアルデヒド排出手段とを機能させることによって、車室の空気中の水蒸気量を増大させて空気中のアルデヒドを捕捉し、アルデヒドを捕捉した空気を冷却してアルデヒドを凝縮水とともに車室外に排出する。このため、車室のアルデヒド濃度を所望に濃度以下に継続して低減するためには、車室の加湿に必要なタンクの水の補給をすればよく、例えばフィルタ等を用いてアルデヒドを吸着させる場合と比べて、フィルタ交換等のメンテナンス作業が不要であり、装置の維持費用が低減できる。また、車室の空気を気泡として水中を通過させることによって、水蒸気によって捕捉されずに車室の空気中に残留しているアルデヒドが水に溶解するので、より効率よく車室の空気のアルデヒドの濃度を低減することができる。また、車室の温度を調節する空調装置を備えた車両においては、空調装置のエバポレータと送風ファンと排水路とをアルデヒド排出手段として利用することができるので、設備費用の増大を抑制することが可能となる。
【発明の効果】
【００１４】
本発明によれば、フィルタ等の交換を必要とせずに車室の空気中のアルデヒドの濃度を所望の濃度以下に継続して低減することが可能となる。
【図面の簡単な説明】
【００１５】
【図１】本実施形態に係わる車室空気のアルデヒド低減装置を備える車両の主要部を示す模式図である。
【図２】アルデヒド低減処理を示すフローチャートである。
【発明を実施するための形態】
【００１６】
以下、本発明の一実施形態を図面に基づいて説明する。本実施形態のアルデヒド低減装置１を搭載する車両２は、キャブ３と荷台（図示省略）とを有する貨物車両である。アルデヒド低減装置１は、図１に示すように加湿ユニット７と、空調ユニット１７と、ガスセンサ５と、制御部３１とを有している。
【００１７】
キャブ３は、略箱状体であり、内部に車両の乗員を収容する車室４を区画する。
【００１８】
加湿ユニット７は、図１に示すように、第１管路（第１の連通路）８とポンプ１２と第２管路（第１の連通路）９とタンク１３と気泡発生部（第１の連通路）１４と第３管路（第２の連通路）１０と脱臭フィルタ１５と第４管路（第２の連通路）１１と配水管路１６とを有する。第１管路８は車室４とポンプ１２とを連通し、第２管路９はポンプ１２とタンク１３とを連通する。また、第３管路１０はタンク１３と脱臭フィルタ１５とを連通し、第４管路１１は脱臭フィルタ１５と車室４とを連通する。タンク１３は、第２管路９、第３管路１０及び配水管路１６との接続口を有する密閉構造であり、配水管路１６から供給される水を所定の水位に維持するようにタンク１３内に水を貯留する。第２管路９のタンク側の先端には気泡発生部１４が連結されタンク１３の水面と並行して水中に突出している。気泡発生部１４は、例えば第２管路９の先端に連結された一端と封止された他端とを有する略円筒状であり、筒内部と筒外部とが連通する多孔質部材で形成されている。
【００１９】
ポンプ１２は、第１管路８と第２管路９との間に配置され、ポンプ１２が作動することによって第１管路８、第２管路９、気泡発生部１４、第３管路１０、脱臭フィルタ１５、及び第４管路１１の順序で車室４の空気が循環する。ポンプ１２が作動して車室４の空気が気泡発生部１４の円筒内へ送りこまれると、送り込まれた空気は気泡発生部１４の円筒外周面から微細な気泡となってタンク１３の水中へ放出される。脱臭フィルタ１５は、例えば活性炭等によって形成され、脱臭フィルタ１５を通過する空気に含まれる臭気成分を吸着して除去する。なお、脱臭フィルタ１５及び第４管路の設置を省略し、第３管路によってタンク１３と車室４とを連通してもよい。
【００２０】
空調ユニット１７は、ケース１８と送風ファン１９とエバポレータ２０と流路区画部材２１とエアミックスダンパ２２とヒータコア２３と凝縮水排出路２４とを有する。また、空調ユニット１７は、空調ユニット１７を制御し車室４の室温を調節する空調制御ユニット（図示省略）を有しており、空調制御ユニットには所望の車室温度が可変に設定される。ケース１８は、中空の略箱形部材であり、内周面が空気の流路２５を区画する。ケース１８には、ケース１８の外部と流路２５とを連通するユニット流入口２６及びユニット流出口２７が形成されている。ユニット流入口２６及びユニット流出口２７は、空調用ダクト（図示省略）を経由して車室４内と連通する。
【００２１】
送風ファン１９は、流路２５のユニット流入口２６の近傍に設けられる。送風ファン１９は、モータによって駆動され、車室４の空気をユニット流入口２６から流路２５へ流入させ、ユニット流出口２７へ向かって流通させる。エバポレータ２０は、流路２５の送風ファン１９の下流側に、流れ方向に直交して設けられる。エバポレータ２０は、冷媒（エアコンガス）が流通するチューブを有し、エバポレータ２０を通過する空気を冷却する。送風ファン１９のモータは、空調制御ユニットによって駆動されるほか、アルデヒド低減装置１の制御部３１によっても駆動される。
【００２２】
流路区画部材２１は、板状部材であり、流路２５のエバポレータ２０の下流側に、空気の流れ方向に沿って設けられ、流路２５を加熱流路２８と通過流路２９とに区画する。エアミックスダンパ２２は、流路区画部材２１の上流端に回転自在に支持される。エアミックスダンパ２２は、モータによって駆動され、設定位置を変更されることによって、加熱流路２８と通過流路２９とへの空気の流入量を調節する。
【００２３】
ヒータコア２３は、加熱流路２８に空気の流れ方向に直交して設けられる。ヒータコア２３は、エンジンを冷却した冷却水が流通するチューブを有し、ヒータコア２３を通過する空気を加熱する。また、流路区画部材２１の下流側であって、流路２５の下流端のユニット流出口２７の近傍には、加熱流路２８を流通した空気と通過流路２９を流通した空気とを合流させるチャンバー部３０が設けられる。
【００２４】
上記のように構成された空調ユニット１７では、空調制御ユニットに設けられた空調スイッチ（図示省略）がＯＮに設定されると、空調制御ユニットが送風ファン１９を作動させる。送風ファン１９が作動すると、車室４の空気が、ユニット流入口２６から流路２５へ流入し、エバポレータ２０を通過することによって冷却される。冷却された空気（冷風）は、エアミックスダンパ２２の設定位置に応じて、加熱流路２８と通過流路２９とに分かれて流入する。加熱流路２８に流入した冷風は、ヒータコア２３を通過することによって加熱される。加熱流路２８を流通して加熱された空気（温風）と通過流路２９を流通した冷風とはチャンバー部３０において合流して混合され、空調風としてユニット流出口２７から流出する。空調制御ユニットは、エアミックスダンパ２２の設定位置を変更して、ユニット流出口２７から流出する空調風の温度が空調制御ユニットに設定された車室温度となるように加熱流路２８と通過流路２９とへの空気の流入量を調節する。
【００２５】
また、流路２５に流入した空気がエバポレータ２０によって露点温度以下に冷却されると空気中の水蒸気が凝縮し、凝縮水として凝縮水排出路２４を経由して車室４外へ排出される。
【００２６】
ガスセンサ５は、車室４内に設置されて車室４の空気中のアルデヒドの濃度Ｑｒを検出し、検出結果をＥＣＵ６へ出力する。ガスセンサ５は、例えば半導体ガス検出素子等を用いて形成される。
【００２７】
ＥＣＵ６は、ＣＰＵ（Central Processing Unit）とＲＯＭ(Read Only Memory)とＲＡＭ(Random Access Memory)とを備える。ＣＰＵは、ＲＯＭに格納されたアルデヒド低減処理プログラムを読み出して処理を実行し、制御部３１として機能する。ＲＡＭは、ガスセンサ５が出力したアルデヒド濃度Ｑｒを記憶する。また、ＲＡＭは、予め設定されるアルデヒド濃度の第１閾値Ｑｈ１及び第２閾値Ｑｈ２の設定領域、及びＣＰＵ演算結果の一時記憶領域としても機能する。
【００２８】
制御部３１は、ガスセンサ５が出力する車室４の空気のアルデヒド濃度Ｑｒを取得し、アルデヒド濃度の第１閾値Ｑｈ１（所定の閾値）及び第２閾値Ｑｈ２と比較する。アルデヒド濃度Ｑｒが第１閾値Ｑｈ１よりも大きい場合は、加湿ユニット７のポンプ１２及び空調ユニット１７の送風ファン１９を作動する。また、アルデヒド濃度Ｑｒが第２閾値Ｑｈ２以下の場合には加湿ユニット７のポンプ１２及び空調ユニット１７の送風ファン１９を停止する。すなわち、制御部３１は、制御手段として機能する。なお、アルデヒド濃度の第２閾値Ｑｈ２は、アルデヒド濃度Ｑｒが第１閾値Ｑｈ１の付近にあるときに制御部３１による加湿ユニット７及び空調ユニット１７の頻繁な作動及び停止の操作を抑制するために設けられ、第１閾値Ｑｈ１の近傍であって第１閾値Ｑｈ１よりも小さい値に設定される。
【００２９】
次に、図２に示すフローチャートに基づいてアルデヒド低減処理を説明する。本処理は、例えば車両２のエンジンキーがＯＮである状態において所定の時間ごとに繰り返し実行される。ＥＣＵ６は、まずガスセンサ５が検出したアルデヒド濃度Ｑｒを取得する（ステップＳ１）。次にアルデヒド濃度Ｑｒと、アルデヒド濃度の第１閾値Ｑｈ１とを比較し、アルデヒド濃度Ｑｒが第１閾値Ｑｈ１よりも大きい場合はステップＳ３へ進む（ステップＳ２）。ステップＳ３では、ＥＣＵ６は加湿ユニット７のポンプ１２を作動させ、車室４の空気をタンク１３の水中を通過させて循環させる。次にＥＣＵ６はステップＳ４へ進み、空調制御ユニットの空調スイッチがＯＮか否かを判定する。空調スイッチがＯＦＦの場合はステップＳ５へ進み空調ユニット１７の送風ファン１９を作動させ、車室４の空気を空調ユニット１７のエバポレータ２０へ送風する。空調スイッチがＯＮの場合は、空調ユニット１７が空調制御ユニットによって稼働しており、送風ファン１９はすでに作動しているので処理を終了する。
【００３０】
ステップＳ２において、アルデヒド濃度Ｑｒが第１閾値Ｑｈ１以下である場合はステップＳ６へ進む。ステップＳ６では、アルデヒド濃度Ｑｒと、アルデヒド濃度の第２閾値Ｑｈ２とを比較し、アルデヒド濃度Ｑｒが第２閾値Ｑｈ２以下の場合はステップＳ７へ進む。ステップＳ７では、ＥＣＵ６は加湿ユニット７のポンプ１２を停止して車室４の空気の循環を停止する。次にＥＣＵ６はステップＳ８へ進み、空調スイッチがＯＮか否かを判定する。空調スイッチがＯＦＦの場合は、ステップＳ９へ進んで送風ファン１９を停止し、車室４の空気のエバポレータ２０への送風を停止する。空調スイッチがＯＮの場合は、空調ユニット１７が空調制御ユニットによって作動中であるので、送風ファン１９を停止せずに処理を終了する。
【００３１】
ステップＳ６において、アルデヒド濃度Ｑｒが第２閾値Ｑｈ２よりも大きい場合、すなわちアルデヒド濃度Ｑｒが第１閾値Ｑｈ１以下であり、且つアルデヒド濃度Ｑｒが第２閾値Ｑｈ２よりも大きい場合は処理を終了し、加湿ユニット７及び空調ユニット１７の現在の作動状態又は停止状態を継続する。
【００３２】
本実施形態では、車室４で気化したアルデヒド濃度Ｑｒがガスセンサ５によって検出され、アルデヒド濃度Ｑｒが第１閾値Ｑｈ１を超えると、制御部３１が加湿ユニット７のポンプ１２と空調ユニット１７の送風ファン１９とを作動させる。
【００３３】
加湿ユニット７のポンプ１２が作動すると、車室４の空気は第１管路８及び第２管路９を経由して気泡発生部１４に流入し、水中を微細な気泡となって通過し、第３管路、脱臭フィルタ１５及び第４管路１１を経由して車室へ循環する。空気が水中を気泡となって通過するときに空気と水とが接触して空気中の水蒸気量が増大し、水蒸気量が増大した空気が車室４へ循環することによって車室４が加湿される。気化したアルデヒドは水に容易に溶解するので車室４の空気中のアルデヒドは車室４の空気中の水蒸気に捕捉されるが、水蒸気量が増大すると、水蒸気に溶解して捕捉されるアルデヒド量も増大する。
【００３４】
また、空調ユニット１７の送風ファン１９が作動すると、水蒸気量が増大した車室４の空気が空調ユニット１７のエバポレータ２０に送風される。送風された空気がエバポレータ２によって露点温度以下に冷却されると空気中の水蒸気が凝縮し、水蒸気に捕捉されたアルデヒドは凝縮水として空調ユニット１７の凝縮水排出路２４から車室４外に排出される。この結果、車室４の空気中のアルデヒドの濃度が第１閾値Ｑｈ１以下に低下する。
【００３５】
このように、車室４を加湿して増大した水蒸気によって空気中のアルデヒドを補足し、空気を冷却してアルデヒドを含む凝縮水を車室外に排出するので、車室４で長期にわたり継続して生成されるアルデヒドに対して、アルデヒド濃度を継続して低減することができる。また、車室４のアルデヒド濃度を継続して低減するために車室４の加湿に必要なタンク１３の水の補給をすればよく、例えばフィルタ等を用いてアルデヒドを吸着させる場合と比べて、フィルタ交換等のメンテナンス作業が不要であり、装置の維持費用が低減できる。
【００３６】
また、車室４の空気のアルデヒド濃度Ｑｒを検出して第１閾値Ｑｈ１を超えたか否かを判定するので、第１閾値Ｑｈ１に所望のアルデヒド濃度を設定しておくことによって車室４のアルデヒド濃度Ｑｒを確実に所望の濃度以下に継続して低減することが可能である。
【００３７】
また、第１閾値Ｑｈ１を超えたときのみ加湿ユニット７のポンプ１２及び空調ユニット１７の送風ファン１９を作動させるので、装置の過剰なエネルギ消費の抑制が可能である。また、車室４を加湿するので、空気が乾燥する冬季においても車室４の空気の湿度が保持される快適な車室空間を提供することができる。
【００３８】
また、車室４の空気をタンク１３の水中を気泡として通過させることによって、水蒸気によって捕捉されずに車室４の空気中に残留していたアルデヒドがタンク１３の水に溶解するので、より効率よく車室４の空気中のアルデヒド濃度Ｑｒを低減することができる。また、車室４の温度を調節する空調ユニット１７の送風ファン１９、エバポレータ２０及び凝縮水排出路２４をアルデヒド低減装置１の構成要素の一部として利用しているので装置費用の増大を抑制することが可能となる。
【００３９】
なお、車室４の加湿は、空気中の水蒸気量を増大させるものであれば本実施形態の加湿ユニット７に限定されず、例えば水を霧化して車室４の空気中に噴霧して加湿するもの等であってもよい。
【００４０】
また、車室４の空気の冷却は、本実施形態の車両１の空調ユニット１７を利用するものに限定されず、例えばペルチェ素子で形成される冷却機器を別途設けて冷却するもの等であってもよい。
【００４１】
また、本実施形態のアルデヒド低減装置は、車室４の空気に含まれるアルデヒドの濃度低減に限定されず、例えばメタノール等のような水溶性のＶＯＣ（揮発性有機化合物）の濃度低減にも適用が可能である。
【００４２】
また、制御部３１は、車室４のアルデヒド濃度Ｑｒを低減するために第１閾値Ｑｈ１及び第２閾値Ｑｈ２を用いたが、第１閾値Ｑｈ１（所定の閾値）だけを用いてもよい。この場合制御部は、アルデヒド濃度Ｑｒが第１閾値Ｑｈ１を超えたときに加湿ユニット７及び空調ユニット１７を作動させ、アルデヒド濃度Ｑｒが第１閾値Ｑｈ１以下になったときに加湿ユニット７及び空調ユニット１７の作動を停止する。
【００４３】
以上、本発明者によってなされた発明を適用した実施形態について説明したが、この実施形態による本発明の開示の一部をなす論述及び図面により本発明は限定されることはない。すなわち、この実施形態に基づいて当業者等によりなされる他の実施形態、実施例及び運用技術等は全て本発明の範疇に含まれることは勿論である。
【産業上の利用可能性】
【００４４】
本発明は、車両の車室空気のアルデヒド低減装置として広く適用可能である。
【符号の説明】
【００４５】
１  アルデヒド低減装置
２  車両
４  車室
５  ガスセンサ（アルデヒド濃度検出手段）
６  ＥＣＵ
７  加湿ユニット（加湿手段）
８  第１管路（第１の連通路）
９  第２管路（第１の連通路）
１０  第３管路（第２の連通路）
１１  第４管路（第２の連通路）
１２  ポンプ
１３  タンク
１４  気泡発生部（第１の連通路）
１７  空調ユニット（アルデヒド排出手段）
１９  送風ファン
２０  エバポレータ
２４  凝縮水排出路（排出路）
３１  制御部（制御手段）
【図１】
0006372743.tif 000002
【図２】
0006372743.tif 000003